(57)【要約】      （修正有）【課題】取り外しの際に自然に柄部を持つことができ、扇部の汚損や破損を避けることができる磁性体付きうちわを提供する。【解決手段】扇部に、地紙１３、１４に被覆された状態の磁性体１５を有する。磁性体は、隣り合う骨と骨の間に配置され、板状であり、磁性体付きうちわを垂直に立てた状態で扇部の一方の面を正面としたとき、正面形状が長方形、上部が広く下部が狭い細長い台形状、四隅に角丸を有する長方形、上端部と下端部が弧状、円形、又は正方形である。【選択図】図１
0003225527.tif 000002
【実用新案登録請求の範囲】
【請求項１】
扇部に、地紙に被覆された状態の磁性体を有することを特徴とする磁性体付きうちわ。
【請求項２】
上記磁性体が、隣り合う骨と骨の間に配置されていることを特徴とする請求項１に記載の磁性体付きうちわ。
【請求項３】
上記磁性体が、板状であることを特徴とする請求項２に記載の磁性体付きうちわ。
【請求項４】
上記磁性体付きうちわを垂直に立てた状態で扇部の一方の面を正面としたとき、上記磁性体の正面形状が長方形であることを特徴とする請求項３に記載の磁性体付きうちわ。
【請求項５】
上記磁性体付きうちわを垂直に立てた状態で扇部の一方の面を正面としたとき、上記磁性体の正面形状が上部が広く下部が狭い細長い台形状であることを特徴とする請求項３に記載の磁性体付きうちわ。
【請求項６】
上記磁性体付きうちわを垂直に立てた状態で扇部の一方の面を正面としたとき、上記磁性体の正面形状が四隅に角丸を有する長方形であることを特徴とする請求項３に記載の磁性体付きうちわ。
【請求項７】
上記磁性体付きうちわを垂直に立てた状態で扇部の一方の面を正面としたとき、上記磁性体の正面形状が上端部と下端部が弧状に形成されていることを特徴とする請求項３に記載の磁性体付きうちわ。
【請求項８】
上記磁性体付きうちわを垂直に立てた状態で扇部の一方の面を正面としたとき、上記磁性体の正面形状が円形であることを特徴とする請求項３に記載の磁性体付きうちわ。
【請求項９】
上記磁性体付きうちわを垂直に立てた状態で扇部の一方の面を正面としたとき、上記磁性体の正面形状が正方形であることを特徴とする請求項３に記載の磁性体付きうちわ。
【請求項１０】
上記磁性体が、線状の棒状体であることを特徴とする請求項２に記載の磁性体付きうちわ。
【請求項１１】
上記磁性体が、波状の線状棒状体であることを特徴とする請求項１０に記載の磁性体付きうちわ。
【請求項１２】
上記磁性体がシート状であり、いずれか一方の地紙の裏面に、あるいは両方の地紙の裏面に貼着されていることを特徴とする請求項１に記載の磁性体付きうちわ。
【請求項１３】
上記磁性体が骨の一部または全部を構成していることを特徴とする請求項１に記載の磁性体付きうちわ。
【考案の詳細な説明】
【技術分野】
【０００１】  本考案は、扇部に磁性体を有し、かつ該磁性体が地紙に被覆された状態にあることを特徴とするうちわに関するものである。
【背景技術】
【０００２】  従来、うちわは日本の生活環境において、簡便な送風道具として広く使用されてきた。最近は空調設備の普及により以前ほど頻繁には用いられないが、それでも、家庭でもオフィスにおいても、空調の気流のムラや、人により暑さを感じる度合いに個人差があることに応じて、適宜補助的な送風道具として使用される機会が多いのが現状である。【０００３】  うちわは、扇子と同じく特別な動力を必要とせず、ただ手に持って扇げばいいだけなので、極めて安易に用いることができる。ただ、使用していない状態では置き場所に困ることも少なくない。すなわち、うちわを水平にして机の上に置くと、かなりのスペースを要するし、また机の上が濡れていたり汚れていたりすると水分や汚れがうちわに付着してしまう。【０００４】  そこで、従来から、うちわを収容する道具が用いられてきた。図７ａ、図７ｂにその一例を示す。図７ａに示すうちわスタンドＳＡは有底の円筒形状で、材質は木製、竹製、プラスチック製などが見られる。うちわＵの柄部Ｕ２をスタンドＳＡの上部から空間ＳＳａに挿入してうちわＵを安定的に保持するもので、うちわＵを片手で空間ＳＳａに挿入するだけでよいので、極めて安易に格納できる。図７ａはうちわスタンドＳＡを机Ｄ１上に置いてうちわＵを格納している状態を示す。【０００５】  ただ、この形式のうちわスタンドＳＡの場合、うちわＵの使用に際してうちわＵを手にとろうとした際に、柄部Ｕ２が空間ＳＳａ内に格納された状態であるので、どうしてもうちわＵの扇部Ｕ１を掴んで取り出し勝ちになる。しかし、扇部Ｕ１は手で把持されるための構成とはなっていないので、扇部Ｕ１の地紙Ｕ１ａや骨Ｕ１ｂに不自然な力がかかり、扇部Ｕ１を掴む動作を繰り返しているうちに、地紙Ｕ１ａが破損したり、骨Ｕ１ｂが変形を蒙ったりすることもある。また、手に液体や汚れが付着していると、その液体や汚れが地紙Ｕ１ａに移り、地紙Ｕ１ａを汚損するケースも見られる。【０００６】  うちわスタンドＳＡのこのような欠点を解消するために考えられたのが、図７ｂに示すうちわスタンドＳＢである。うちわスタンドＳＢは、水平部材と垂直部材を組み合わせて直方体状の空間ＳＳｂを生じるもので、うちわＵの扇部Ｕ１の一部を該空間ＳＳｂに格納する。その結果、うちわＵの柄部Ｕ２はうちわスタンドＳＢの外部に突出することとなり、簡単に柄部Ｕ２を手で掴むことができるようになった。【０００７】  しかし、このうちわスタンドＳＢの欠点は、机Ｄ２の上に載置した場合、かなりのスペースを占めてしまうということである。うちわスタンドＳＡもある程度のスペースは占めるが、うちわスタンドＳＢの場合には、占めるスペースは、うちわＵを格納した状態では、うちわスタンドＳＡの場合の倍かそれ以上となる。応接間の座卓（図示せず）の様に、広い机上面のスペースにほとんど物が置かれていない場合は良いが、事務机（図示せず）などの様にパソコンや書類等をたくさん置かなければならない環境では、うちわスタンドＳＢを置くだけのスペースが取れない場合も多い。また、ムリに机Ｄ２の端部に置いたりすると、作業中に肘があたったりしてうちわスタンドＳＢを床に落下させてしまうケースも少なくない。【０００８】  本考案は、���記のような従来のうちわスタンドＳＡ、うちわスタンドＳＢの有する問題点を解消せんとしてなされたものである。具体的には、うちわＵの一部に磁性体を装着することにより、特に机上面のスペースが取りにくい事務机（図示せず）において、該事務机の大半がスチール製である特色を利用し、該スチール製の机の机上面以外の部位にうちわＵを磁着させることにより、上記問題点の解消を試みたものである。【０００９】  従来、うちわＵの一部に磁性体を装着する発明や考案は、いくつか散見される。このうち、下記特許文献１、下記特許文献２、下記特許文献４には、うちわの柄部に磁性体を装着する技術内容が公開されている。しかしながら、柄部に磁性体を装着した場合、スチール製の机（図示せず）に磁着されるのは該柄部となり、磁着固定された柄部を把持してうちわを上記スチール製の机から取り外すよりは、勢い、うちわの扇部を手で持って上記スチール製の机から取り外すことになるが、この場合、前記うちわスタンドＳＡで生じたような問題、すなわち、扇部の地紙の汚損や損傷、あるいは骨の変形や損傷が生じることになる。そして扇部のこの損傷や変形は、柄部が磁着固定されているので、前記うちわスタンドＳＡの場合よりさらに大きくなることが考えられる。【００１０】  あるいは、下記特許文献３には、うちわの扇部に磁石を取り付ける技術内容が公開されているが、この特許文献３にては、扇部に切欠き部を設けて、更にこの切欠き部の内部にて回転する回転体に磁石が装着されているという特殊な構成である。すなわち、磁石は露出されて回転体の一部に装着されているので、うちわの扇部を前記スチール製の机に適切な状態で磁着することができず、またできたとしても、うちわの扇部自体を変形させるような力が働くことが想像され、扇部の構成を損傷するおそれさえある。あるいは、磁石が露出されて装着されているため、一旦前記スチール製の机に磁着させられると、取り外すときに磁力が強力なため、扇部の変形や損傷を招くような無理な力が働くことも考えられる。【００１１】  あるいはまた、下記特許文献３にては、もう一つの磁石が装着されているが、これは柄部の内部に装着されたもの（下記特許文献３にては「第２の磁石」と呼称）であり、これにより柄部自体が前記スチール製の机に磁着させられるので、下記特許文献１、下記特許文献２、下記特許文献４と同様の困難が生じるものである。
【先行技術文献】
【特許文献】
【００１２】
【特許文献１】実全昭５７−１８４６１９号公報
【特許文献２】実用新案登録第号３０２０７８４公報
【特許文献３】特開２００７−１１１２１９号公報
【特許文献４】特開２０１０−１１５４６５号公報
【考案の概要】
【考案が解決しようとする課題】
【００１３】  本考案が解決しようとする課題は、次の３点である。
＜課題１＞
磁性体を有し、事務机等のスチール製の机に磁着させることにより机上面に収納のためのスペースを必要としない構成の磁性体付きうちわを開発する。
＜課題２＞
上記磁性体が柄部に装着されている場合、磁着状態から取り外そうとすれば、扇部を手に持って外す場合が多くなると考えられるが、この動作を繰返すことにより、扇部の地紙の汚損や損傷、あるいは骨の変形や損傷を招くことになるので、このような事態を防止できる構成の磁性体付きうちわを開発する。
＜課題３＞
上記磁性体が、扇部に露出された状態で装着されている場合、扇部が強く磁着されることとなり、これによる扇部の地紙の汚損や損傷、あるいは骨の変形や損傷を招くことになるので、このような事態を防止できる構成の磁性体付きうちわを開発する。
【課題を解決するための手段】
【００１４】  本考案は、上記課題を解決するためになされたものである。すなわち、柄部ではなく扇部に磁性体を配置することにより、上記課題１と上記課題２を解決する解決手段を提供する。また、該磁性体を、露出された状態ではなく地紙に被覆された状態にて配置することにより、上記課題３を解決する解決手段を提供するものである。
【考案の効果】
【００１５】  本考案の磁性体付きうちわは、磁性体を有することにより、事務机等のスチール製の机の机上面以外の部分に磁着可能となり、該磁性体付きうちわを載置するための机上面のスペースが不要となる。これにより、パソコンや書類等でうちわスタンドを置くスペースがない事務机等においても該磁性体付きうちわを簡単に格納できる。【００１６】  本考案の磁性体付きうちわは、柄部ではなく扇部に磁性体を有するため、使用の際は柄部を把持して簡単にスチール製の机より取り外すことが可能である。すなわち、柄部に磁性体が装着されているうちわの場合の様に扇部を手で把持して取り外す必要がないので、扇部の地紙の汚損や損傷、あるいは骨の変形や損傷を招くことがなく、柄部が露出されたうちわスタンドからうちわを簡単に取り上げる場合と同じ感覚で柄部を把持して取り外し、使用を開始できる。【００１７】  本考案の磁性体付きうちわは、扇部に配置された磁性体が露出された状態ではなく地紙に被覆された状態であるので、磁性体が必要以上に強力にスチール製の机に磁着されることがなく、取り外しが容易で、取り外しの際に扇部の地紙の汚損や損傷、あるいは骨の変形や損傷を招くこともない。
【図面の簡単な説明】
【００１８】
【図１】（ａ）本考案の磁性体付きうちわの実施例１の一部を切欠した正面図である。（ｂ）本考案の磁性体付きうちわの実施例１の磁性体の外観図である。（ｃ）本考案の磁性体付きうちわの実施例１の磁性体の正面図である。（ｄ）本考案の磁性体付きうちわの実施例１の磁性体の一部を省略した正面図である。（ｅ）本考案の磁性体付きうちわの実施例１の磁性体の一部を省略した正面図である。
【図２】（ａ）本考案の磁性体付きうちわの実施例２の一部を切欠した正面図である。（ｂ）本考案の磁性体付きうちわの実施例２の磁性体の外観図である。（ｃ）本考案の磁性体付きうちわの実施例２の磁性体の外観図である。（ｄ）本考案の磁性体付きうちわの実施例２の磁性体の外観図である。（ｅ）本考案の磁性体付きうちわの実施例２の磁性体の外観図である。（ｆ）本考案の磁性体付きうちわの実施例２の磁性体の外観図である。（ｇ）本考案の磁性体付きうちわの実施例２の磁性体の外観図である。
【図３】（ａ）本考案の磁性体付きうちわの実施例３の一部を切欠した正面図である。（ｂ）本考案の磁性体付きうちわの実施例３の磁性体の外観図である。
【図４】（ａ）本考案の磁性体付きうちわの実施例４の一部を切欠した正面図である。（ｂ）図４ａのＸ−Ｘ線端面図である。
【図５】（ａ）本考案の磁性体付きうちわの実施例５の一部を切欠した正面図である。（ｂ）図５ａのＹ−Ｙ線端面図である。（ｃ）本考案の磁性体付きうちわの実施例５の骨の一部の外観図である。
【図６】本考案の磁性体付きうちわの実施例１の格納状態を説明する説明図である。
【図７】（ａ）従来のうちわスタンドの一例の説明図である。（ｂ）従来のうちわスタンドの一例の説明図である。
【考案を実施するための形態】
【００１９】  以下、添付図面に従って、本考案の第１から第５までの実施例を説明する。
【実施例】
【実施例１】
【００２０】  図１に、本考案の磁性体付きうちわの実施例１を示す。図１ａにて、磁性体付きうちわ１は、手に把持する柄部１Ｂと、柄部１Ｂに一体として接続された扇部１Ａから構成される。柄部１Ｂは柄１２からなり、扇部１Ｂは扇形状に配置された複数の骨１１を骨格とし、該複数の骨１１の正面側に貼られた地紙１３、背面側に貼られた地紙１４より構成される。また、Ｔは編み糸、Ｙは弓、Ｍは耳、Ｈはへりと呼称される部材であり、これらは通常のうちわ（図示せず）と同様の構成である。【００２１】  図１ａにて、１１は骨、１５は磁性体である。骨１１ａ（１１）と骨１１ｂ（１１）の間には磁性体１５ｃ（１５）が、骨１１ｃ（１１）と骨１１ｄ（１１）の間には磁性体１５ｂ（１５）が、骨１１ｅ（１１）と骨１１ｆ（１１）の間には磁性体１５ａ（１５）が、骨１１ｇ（１１）と骨１１ｈ（１１）の間には磁性体１５ｂ（１５）が、骨１１ｉ（１１）と骨１１ｊ（１１）の間には磁性体１５ｃ（１５）が配置されている。このように、磁性体１５は、隣接する骨１１と骨１１の間のすべての位置に配置されているわけではないが、むろんすべての位置に配置することも可能であるし、図１ａとは異なる位置に配置することも可能である。すなわち、図１ａは、磁性体１５の配置方法の一例を示しているにすぎない。【００２２】  磁性体１５ａは、図１ａ、図１ｂに見るように、正面形状が長方形の板状体で、その厚さは骨１１の厚さと同程度であり、磁性を帯びている。磁性体１５ｂは長手方向の長さが磁性体１５ａよりやや短く、磁性体１５ｃは長手方向の長さが磁性体１５ｂよりやや短く構成されている。磁性体１５の材質は、磁石でもよいし、あるいは金属やプラスチック等に磁性体の粉末を塗布したもの、さらには、金属やプラスチック等にシート状の磁性体を巻回したものであってもよい。要するに、図１ｂに示すような形状で、磁性を帯びたものであれば問題ない。【００２３】  磁性体１５ａ、１５ｂ、１５ｃは、図１ａに見るように、地紙１３と地紙１４に挟着された状態にあり、地紙１３と地紙１４が互いの裏面にて接着されていることにより、安定的に扇部１Ａ内に装着された状態にある。なお、磁性体１５ａ、１５ｂ、１５ｃ自体を地紙１３、地紙１４の両方またはどちらかに接着してもむろんかまわない。【００２４】  図１ｃに示す磁性体１５ｄ（１５）は、正面形状が、上方が広く、下方が狭い細長い台形状である。これは、骨１１と骨１１の間の間隙の形状に合わせたもので、このような形状の磁性体を用いることにより、磁性体付きうちわ１の外観がより改善されることが期待される。すなわち、磁性体１５は、地紙１３と地紙１４の間に挟着されていて、その外観そのものは外部からは見えないが、骨１１も同様に挟着されていても外形が凸状に浮かびあがるように、磁性体１５の外形もやはり凸状に浮かびあがる。したがって、磁性体１５ｄ（１５）のような外形であれば、骨１１と骨１１の間の間隙に違和感なく収まり、磁性体付きうちわ１の外見の向上が期待できるものである。【００２５】  さらに、磁性体１５は、図１ｄに示すように正面形状において四隅に角丸を持たせた形状とすることもできるし、図１ｅに示すように正面形状において上端と下端を弧状にすることもできる。このようにすれば、やはり磁性体付きうちわ１の外観の向上が期待でき、さらに角部がなくなるので、地紙１３、地紙１４に対して角部が圧接されることにより地紙１３、地紙１４が損傷される怖れも少なくなるものである。【００２６】  図６に、磁性体付きうちわ１をスチール製の机ＳＤに格納している状態を示す。磁性体付きうちわ１は、扇部１Ａを机ＳＤの引出し部右側面ＳＤ１、あるいは引出し部左側面ＳＤ２に磁着させることにより、安定的に格納できる。また、脚部ＳＤ３に磁着させてもよい。このようにすることにより、磁性体付きうちわ１を机上面ＳＤ４以外のところに格納できるので、机上面ＳＤ４に磁性体付きうちわ１を載置するためのスペースが不要となり、机上面ＳＤ４を広く使用できる。【００２７】  また、格納の際には柄部１Ｂを持って扇部１Ａを机ＳＤの任意の箇所に磁着させるだけなので極めて簡便であり、さらに磁性体付きうちわ１を使用したい場合も、柄部１Ｂは机ＳＤに磁着されていないので、柄部１Ｂを持って机ＳＤから取り外せばよいだけなので、同じく簡便である。この際、扇部１Ａを持つ必要は全くなく、したがって扇部１Ａの汚損や破損、変形も生じない。また、図１ａに見るように、磁性体１５は地紙１３、１４に被覆された状態にあるので、扇部１Ａが机ＳＤに磁着される力はさほど強くならず、これにより扇部１Ａに無理な力がかかることもないので、扇部１Ａの破損や変形が防止できる。【００２８】  さらに、図６に見るように、本考案の磁性体付きうちわ１は、机ＳＤ以外のスチール製の備品等にも磁着格納が可能である。図６では、スチール製の小物入れＢＸの側面、さらにはスチール製のブックエンドＢＤに磁着格納している状態を示している。
【実施例２】
【００２９】  図２に、本考案の磁性体付きうちわの実施例２を示す。図２ａにて、磁性体付きうちわ２は、手に把持する柄部２Ｂと、柄部２Ｂに一体として接続された扇部２Ａから構成される。柄部２Ｂは柄２２からなり、扇部２Ａは扇形状に配置された複数の骨２１を骨格とし、該複数の骨２１の正面側に貼られた地紙２３、背面側に貼られた地紙２４より構成される。また、実施例１同様、Ｔは編み糸、Ｙは弓、Ｍは耳、Ｈはへりと呼称される部材であり、これらは通常のうちわ（図示せず）と同様のものである。【００３０】  図２ａにて、２１は骨、２５は磁性体である。骨２１ａ（２１）と骨２１ｂ（２１）の間には磁性体２５ｄ（２５）、２５ｅ（２５）が、骨２１ｃ（２１）と骨２１ｄ（２１）の間には磁性体２５ｂ（２５）、２５ｃ（２５）、２５ｄ（２５）、２５ｅ（２５）が、骨２１ｅ（２１）と骨２１ｆ（２１）の間には磁性体２５ａ（２５）、２５ｂ（２５）、２５ｃ（２５）、２５ｄ（２５）、２５ｅ（２５）が、骨２１ｇ（２１）と骨２１ｈ（２１）の間には磁性体２５ａ（２５）、２５ｂ（２５）、２５ｃ（２５）、２５ｄ（２５）、２５ｅ（２５）が、骨２１ｉ（２１）と骨２１ｊ（２１）の間には磁性体２５ａ（２５）、２５ｂ（２５）、２５ｃ（２５）、２５ｄ（２５）、２５ｅ（２５）が、骨２１ｋ（２１）と骨２１ｌ（２１）の間には磁性体２５ａ（２５）、２５ｂ（２５）、２５ｃ（２５）、２５ｄ（２５）、２５ｅ（２５）が、骨２１ｍ（２１）と骨２１ｎ（２１）の間には磁性体２５ａ（２５）、２５ｂ（２５）、２５ｃ（２５）、２５ｄ（２５）、２５ｅ（２５）が、骨２１ｏ（２１）と骨２１ｐ（２１）の間には磁性体２５ｂ（２５）、２５ｃ（２５）、２５ｄ（２５）、２５ｅ（２５）が、骨２１ｑ（２１）と骨２１ｒ（２１）の間には磁性体２５ｄ（２５）、２５ｅ（２５）が、夫々配置されている。このように、磁性体２５は、隣接する骨２１と骨２１の間のすべての位置に配置されているわけではないが、むろんすべての位置に配置することも可能であるし、図２ａとは異なる位置に配置することも可能である。すなわち、図２ａは、磁性体２５の配置方法の一例を示しているにすぎない。【００３１】  磁性体２５ａは、図２ａ、図２ｂに見るように、正面形状が円形状の板状体で、その厚さは骨２１の厚さと同程度であり、磁性を帯びている。図２ｂから図２ｆに見るように、磁性体２５ｂは磁性体２５ａより小さく、磁性体２５ｃは磁性体２５ｂより小さく、磁性体２５ｄは磁性体２５ｃより小さく、磁性体２５ｅは磁性体２５ｄより小さく構成されている。また、複数の磁性体２５の一部または全部に、図２ｇに示すような正面形状が正方形の磁性体２５ｆを用いることもできる。厚さは磁性体２５ａ、２５ｂ、２５ｃ、２５ｄ、２５ｅ、２５ｆのすべてにおいて同一である。また、磁性体２５ａ、２５ｂ、２５ｃ、２５ｄ、２５ｅ、２５ｆの材質に関しては、実施例１における磁性体１５と同様である。【００３２】  磁性体２５ａ、２５ｂ、２５ｃ、２５ｄ、２５ｅは、図２ａに見るように、地紙２３と地紙２４に挟まれた状態にあり、地紙２３と地紙２４が互いの裏面にて接着されていることにより、安定的に扇部２Ａ内に装着された状態にある。磁性体���５ｆも同様である。なお、磁性体２５ａ、２５ｂ、２５ｃ、２５ｄ、２５ｅ、２５ｆ自体を地紙２３、地紙２４の両方またはどちらかに接着してもむろんかまわない。また、磁性体付きうちわ２の格納状態に関しては図示しないが、実施例１の磁性体付きうちわ１の格納状態（図６参照）と同一の要領で格納できるものである。
【実施例３】
【００３３】  図３に、本考案の磁性体付きうちわの実施例３を示す。図３ａにて、磁性体付きうちわ３は、手に把持する柄部３Ｂと、柄部３Ｂに一体として接続された扇部３Ａから構成される。柄部３Ｂは柄３２からなり、扇部３Ａは扇形状に配置された複数の骨３１を骨格とし、該複数の骨３１の正面側に貼られた地紙３３、背面側に貼られた地紙３４より構成される。また、実施例１同様、Ｔは編み糸、Ｙは弓、Ｍは耳、Ｈはへりと呼称される部材であり、これらは通常のうちわ（図示せず）と同様のものである。【００３４】  図３ａにて、３１は骨、３５は磁性体である。骨３１ａ（３１）と骨３１ｂ（３１）の間には磁性体３５ｄ（３５）が、骨３１ｃ（３１）と骨３１ｄ（３１）の間には磁性体３５ｃ（３５）が、骨３１ｅ（３１）と骨３１ｆ（３１）の間には磁性体３５ｂ（３５）が、骨３１ｇ（３１）と骨３１ｈ（３１）の間には磁性体３５ａ（３５）が、骨３１ｉ（３１）と骨３１ｊ（３１）の間には磁性体３５ｂ（３５）が、骨３１ｋ（３１）と骨３１ｌ（３１）の間には磁性体３５ｃ（３５）が、骨３１ｍ（３１）と骨３１ｎ（３１）の間には磁性体３５ｄ（３５）が、夫々配置されている。磁性体３５は、隣接する骨３１と骨３１の間のすべての位置に配置されているわけではないが、むろんすべての位置に配置することも可能であるし、図３ａとは異なる位置に配置することも可能である。すなわち、図３ａは、磁性体３１の配置方法の一例を示しているにすぎない。【００３５】  磁性体３５ａは、図３ａ、図３ｂに見るように、全体が波状となった線状棒状体で、その波高ｍが、一端３５ａ１から他端３５ａ２に向うに従い小となるように構成されている。またその厚さは骨１１の厚さと同程度であり、磁性を帯びている。磁性体３５ａは磁石でもよいし、金属やプラスチック等に粉末状の磁性体を塗布した構成でもよいし、金属やプラスチック等にシート状の磁性体を巻回した構成でもよい。すなわち磁性を帯びたものであればその材質は問わない。図３ａに見るように、磁性体３５ｂは磁性体３５ａより短く、磁性体３５ｃは磁性体３５ｂより短く、磁性体３５ｄは磁性体３５ｃより短く構成されている。なお、図示はしないが、磁性体３５の形状を波打たせず、直線状の線状棒状体とすることもむろん可能である。【００３６】  磁性体３５ａ、３５ｂ、３５ｃ、３５ｄは、図３ａに見るように、地紙３３と地紙３４に挟着された状態にあり、地紙３３と地紙３４が互いの裏面にて接着されていることにより、安定的に扇部３Ａ内に装着された状態にある。なお、磁性体３５ａ、３５ｂ、３５ｃ、３５ｄ自体を地紙３３、地紙３４の両方またはどちらかに接着してもむろんかまわない。また、磁性体付きうちわ３の格納状態に関しては図示しないが、実施例１の磁性体付きうちわ１の格納状態（図６参照）と同一の要領で収納できるものである。
【実施例４】
【００３７】  図４に、本考案の磁性体付きうちわの実施例４を示す。図４ａにて、磁性体付きうちわ４は、手に把持する柄部４Ｂと、柄部４Ｂに一体として接続された扇部４Ａから構成される。柄部４Ｂは柄４２からなり、扇部４Ａは扇形状に配置された複数の骨４１を骨格とし、該複数の骨４１の正面側に貼られた地紙４３、背面側に貼られた地紙４４より構成される。また、実施例１同様、Ｔは編み糸、Ｙは弓、Ｍは耳、Ｈはへりと呼称される部材であり、これらは通常のうちわ（図示せず）と同様のものである。なお、図４ａにては、地紙４３を一部めくった状態で図示している。【００３８】  実施例４の磁性体付きうちわ４においては、地紙４３の裏面にシート４３ｓが、地紙４４の裏面にシート４４ｓが、夫々貼着されている。図４ａは、シート４４ｓを一部切欠した状態で示している。図４ｂは図４ａのＸ―Ｘ線端面図であるが、この図に明らかなように、地紙４３の裏面に貼着されたシート４３ｓと地紙４４の裏面に貼着されたシート４４ｓは接着状態にあるので、シート４３ｓとシート４４ｓのいずれかを磁性体にしておけば、他方は磁性体である必要はない。むろん、両方とも磁性体であっても問題はない。あるいは、シート４３ｓが磁性体であればシート４４ｓを省略する、または、シート４４ｓが磁性体であればシート４３ｓを省略することも可能である。格納状態に関しては図示しないが、実施例１の磁性体付きうちわ１の格納状態（図６参照）と同一の要領で格納できる。なお、磁性体付きうちわ４は、外観上は通常のうちわＵ（図７ａ、図７ｂ参照）と変わらないのが特徴である。
【実施例５】
【００３９】  図５に、本考案の磁性体付きうちわの実施例５を示す。図５ａにて、磁性体付きうちわ５は、手に把持する柄部５Ｂと、柄部５Ｂに一体として接続された扇部５Ａから構成される。柄部５Ｂは柄５２からなり、扇部５Ａは扇形状に配置された複数の骨５１を骨格とし、該複数の骨５１の正面側に貼られた地紙５３、背面側に貼られた地紙５４より構成される。また、実施例１同様、Ｔは編み糸、Ｙは弓、Ｍは耳、Ｈはへりと呼称される部材であり、これらは通常のうちわ（図示せず）と同様のものである。【００４０】  実施例５の磁性体付きうちわ５においては、図５ａに見るように、骨５１の一部に磁性体シート５１ａが巻着されている。図５ｂは図５ａのＹ―Ｙ線端面図であるが、この図は、磁性体シート５１ａが巻着されている部分を示している。また、磁性体シート５１ａが巻着されている部分では、図５ｃに見るように、骨５１自体が幅も厚さも縮小されていて、磁性体シート５１ａが巻着された状態で、磁性体シート５１ａが巻着されていない部分の骨５１と幅や厚さが揃うように構成されている。したがって、磁性体付きうちわ５は、外観上は通常のうちわＵ（図７ａ、図７ｂ参照）とほぼ変わらないのが特徴である。なお、図示はしないが、骨全体を磁性体とすることもむろん可能である。また、磁性体付きうちわ５の格納状態に関しては図示しないが、実施例１の磁性体付きうちわ１の格納状態（図６参照）と同一の要領で格納できる。
【符合の説明】
【００４１】１        磁性体付きうちわ
１Ａ      扇部
１Ｂ      柄部
１１      骨
１１ａ    骨
１１ｂ    骨
１１ｃ    骨
１１ｄ    骨
１１ｅ    骨
１１ｆ    骨
１１ｇ    骨
１１ｈ    骨
１１ｉ    骨
１１ｊ    骨
１２      柄
１３      地紙
１４      地紙
１５      磁性体
１５ａ    磁性体
１５ｂ    磁性体
１５ｃ    磁性体
１５ｄ    磁性体
１５ｅ    磁性体
１５ｆ    磁性体
２        磁性体付きうちわ
２Ａ      扇部
２Ｂ      柄部
２１      骨
２１ａ    骨
２１ｂ    骨
２１ｃ    骨
２１ｄ    骨
２１ｅ    骨
２１ｆ    骨
２１ｇ    骨
２１ｈ    骨
２１ｉ    骨
２１ｊ    骨
２１ｋ    骨
２１ｌ    骨
２１ｍ    骨
２１ｎ    骨
２１ｏ    骨
２１ｐ    骨
２１ｑ    骨
２１ｒ    骨
２２      柄
２３      地紙
２４      地紙
２５      磁性体
２５ａ    磁性体
２５ｂ    磁性体
２５ｃ    磁性体
２５ｄ    磁性体
２５ｅ    磁性体
２５ｆ    磁性体
３        磁性体付きうちわ
３Ａ      扇部
３Ｂ      柄部
３１      骨
３１ａ    骨
３１ｂ    骨
３１ｃ    骨
３１ｄ    骨
３１ｅ    骨
３１ｆ    骨
３１ｇ    骨
３１ｈ    骨
３１ｉ    骨
３１ｊ    骨
３１ｋ    骨
３１ｌ    骨
３１ｍ    骨
３１ｎ    骨
３２      柄
３３      地紙
３４      地紙
３５      磁性体
３５ａ    磁性体
３５ａ１  一端
３５ａ２  他端
３５ｂ    磁性体
３５ｃ    磁性体
３５ｄ    磁性体
４        磁性体付きうちわ
４Ａ      扇部
４Ｂ      柄部
４１      骨
４２      柄
４３      地紙
４３ｓ    シート
４４      地紙
４４ｓ    シート
５        磁性体付きうちわ
５Ａ      扇部
５Ｂ      柄部
５１      骨
５１ａ    磁性体シート
５２      柄
５３      地紙
５４      地紙
ＢＤ      ブックエンド
ＢＸ      小物入れ
Ｄ１      机
Ｄ２      机
Ｈ        へり
Ｍ        耳
ＳＡ      うちわスタンド
ＳＢ      うちわスタンド
ＳＤ      机
ＳＤ１    引出し部右側面
ＳＤ２    引出し部左側面
ＳＤ３    脚部
ＳＤ４    机上面
ＳＳａ    空間
ＳＳｂ    空間
Ｔ        編み糸
Ｕ        うちわ
Ｕ１      扇部
Ｕ１ａ    地紙
Ｕ１ｂ    骨
Ｕ２      柄部
Ｙ        弓
ｍ        波高
【図１】
0003225527.tif 000003
【図２】
0003225527.tif 000004
【図３】
0003225527.tif 000005
【図４】
0003225527.tif 000006
【図５】
0003225527.tif 000007
【図６】
0003225527.tif 000008
【図７】
0003225527.tif 000009